(57)【要約】【課題】消費エネルギーを少なくしつつ、利用者にとって快適な環境を与えることができる空調システムを提供する。【解決手段】人が出入りするための出入口３によって繋がっている複数の空間Ｒに対する空調運転を行う空調システムであって、空調装置２が、非共用空間Ｒ１、及び、非共用空間Ｒ１と出入口３によって直接的に繋がっている共用空間Ｒ２としての空調共用空間Ｒ２ａのそれぞれに設置され、並びに、非共用空間Ｒ１と出入口３によって直接的に繋がっていない共用空間Ｒ２としての非空調共用空間Ｒ２ｂ，Ｒ２ｃ，Ｒ２ｄには設置されておらず、空調制御部Ｃは、非共用空間Ｒ１に対する冷房又は暖房の空調運転が行われているとき、その非共用空間Ｒ１と出入口３によって直接的に繋がっている空調共用空間Ｒ２ａに設置されている空調装置２に対して同じ冷房又は暖房の空調運転を連動して行わせる。【選択図】図１
2017116229.tif 000002
【特許請求の範囲】
【請求項１】
人が出入りするための出入口によって繋がっている複数の空間に対する空調運転を行う空調システムであって、
前記複数の空間は、人間によって共用される共用空間と、その共用空間とは別の非共用空間とに区別され、
空調装置が、前記非共用空間、及び、当該非共用空間と前記出入口によって直接的に繋がっている前記共用空間としての空調共用空間のそれぞれに設置され、並びに、前記非共用空間と前記出入口によって直接的に繋がっていない前記共用空間としての非空調共用空間には設置されておらず、
前記空調装置による空調運転を制御する空調制御部を備え、
前記空調制御部は、前記非共用空間に対する冷房又は暖房の空調運転が行われているとき、当該非共用空間と前記出入口によって直接的に繋がっている前記空調共用空間に設置されている前記空調装置に対して同じ冷房又は暖房の空調運転を連動して行わせるように構成されている空調システム。
【請求項２】
前記出入口によって繋がっている前記共用空間同士の間での空気の移動を許容する通気部を備え、
前記通気部は、前記非共用空間での空調運転に連動した空調運転が行われている前記空調共用空間から、当該空調共用空間と前記出入口によって直接的又は間接的に繋がっている前記非空調共用空間へ向かう方向への空気の移動を許容する請求項１に記載の空調システム。
【請求項３】
前記通気部は、前記出入口によって繋がっている前記共用空間同士の間を仕切る仕切部材又は当該出入口の扉に設けられる通気口で構成される請求項２に記載の空調システム。
【請求項４】
前記通気部は、前記出入口によって繋がっている前記共用空間同士の間を仕切る仕切部材又は当該出入口の扉に設けられる通気口と、当該通気口を介した前記共用空間同士の間での空気の移動量を調節可能な空気移動量調節手段とを備え、
前記空調制御部は、前記空気移動量調節手段に対して、
前記空調装置による空調運転が行われている前記空調共用空間から、当該空調共用空間と前記出入口によって直接的又は間接的に繋がっている前記非空調共用空間へ向かう方向への空気の移動量を相対的に多い状態に調節させ、
前記空調装置による空調運転が行われていない前記空調共用空間から、当該空調共用空間と前記出入口によって直接的又は間接的に繋がっている前記非空調共用空間へ向かう方向への空気の移動量を相対的に少ない状態に調節させる請求項２に記載の空調システム。
【請求項５】
前記空気移動量調節手段を複数備え、
前記空調制御部は、
前記空調装置が暖房運転を行っているとき、複数の前記空気移動量調節手段のうち、相対的に上方に設けられている前記空気移動量調節手段によって、前記空調装置による暖房運転が行われている前記空調共用空間から、当該空調共用空間と前記出入口によって直接的又は間接的に繋がっている前記非空調共用空間へ向かう方向への空気の移動量を、相対的に下方に設けられている前記空気移動量調節手段による空気の移動量よりも相対的に多い状態に調節させ、
前記空調装置が冷房運転を行っているとき、複数の前記空気移動量調節手段のうち、相対的に下方に設けられている前記空気移動量調節手段によって、前記空調装置による冷房運転が行われている前記空調共用空間から、当該空調共用空間と前記出入口によって直接的又は間接的に繋がっている前記非空調共用空間へ向かう方向への空気の移動量を、相対的に上方に設けられている前記空気移動量調節手段による空気の移動量よりも相対的に多い状態に調節させる請求項４に記載の空調システム。
【請求項６】
前記空気移動量調節手段は、
前記通気口を覆うことが可能な遮蔽部材と、
前記遮蔽部材を移動させて前記通気口の開口面積を調節することで、前記空調装置が設けられている前記空調共用空間から、当該空調共用空間と前記出入口によって直接的又は間接的に繋がっている前記非空調共用空間へ向かう方向への空気の移動量を調節可能な遮蔽部材駆動部とを備える請求項４又は５に記載の空調システム。
【請求項７】
前記空気移動量調節手段は、
前記通気口を通る空気の流れを作り出すことができるファンと、
前記ファンの回転速度を調節することで、前記空調装置が設けられている前記空調共用空間から、当該空調共用空間と前記出入口によって直接的又は間接的に繋がっている前記非空調共用空間へ向かう方向への空気の移動量を調節可能なファン駆動部とを備える請求項４又は５に記載の空調システム。
【請求項８】
前記空調制御部は、前記非共用空間に対する空調運転と、それに連動した前記空調共用空間に対する空調運転を行うとき、当該空調運転が暖房運転の場合は前記非共用空間の方が高温になるように、当該空調運転が冷房運転の場合は前記非共用空間の方が低温になるようにする請求項１〜７の何れか一項に記載の空調システム。
【発明の詳細な説明】
【技術分野】
【０００１】
本発明は、複数の空間の間での温度差を小さくできる空調システムに関する。
【背景技術】
【０００２】
特許文献１には、家屋内の複数の部屋を、設定された温度に空調する全館空調システムが記載されている。具体的には、特許文献１に記載の全館空調システムでは、空調を行いたい複数の部屋に対して各別に設けられるダクトを経由して空気を送り出す全館空調装置と、一つの部屋の空調を行うためにその部屋に設けられる個別空調装置とが混在している。そのため、通常であれば、個別空調装置が設置されている部屋の温度と、全館空調装置で空調されている部屋の温度とは別々になってしまうが、特許文献１に記載の全館空調システムでは、個別空調装置を全館空調用制御装置の制御下におくことで、個別空調装置によって空調される部屋の温度も全館空調装置によって空調される複数の部屋の温度と同じになるように空調しようとしている。
【先行技術文献】
【特許文献】
【０００３】
【特許文献１】特開２０１３−０６４５３７号公報
【発明の概要】
【発明が解決しようとする課題】
【０００４】
特許文献１に記載の全館空調システムは、全ての部屋に対して空調を行っているため、利用者がどの部屋に移動したとしても、利用者にとって快適な環境を提供できると思われる。但し、利用者が移動しないような部屋でも空調が行われるため、消費エネルギーが大きくなってしまうという問題がある。
【０００５】
本発明は、上記の課題に鑑みてなされたものであり、その目的は、消費エネルギーを少なくしつつ、利用者にとって快適な環境を与えることができる空調システムを提供する点にある。
【課題を解決するための手段】
【０００６】
上記目的を達成するための本発明に係る空調システムの特徴構成は、人が出入りするための出入口によって繋がっている複数の空間に対する空調運転を行う空調システムであって、
前記複数の空間は、人間によって共用される共用空間と、その共用空間とは別の非共用空間とに区別され、
空調装置が、前記非共用空間、及び、当該非共用空間と前記出入口によって直接的に繋がっている前記共用空間としての空調共用空間のそれぞれに設置され、並びに、前記非共用空間と前記出入口によって直接的に繋がっていない前記共用空間としての非空調共用空間には設置されておらず、
前記空調装置による空調運転を制御する空調制御部を備え、
前記空調制御部は、前記非共用空間に対する冷房又は暖房の空調運転が行われているとき、当該非共用空間と前記出入口によって直接的に繋がっている前記空調共用空間に設置されている前記空調装置に対して同じ冷房又は暖房の空調運転を連動して行わせるように構成されている点にある。
【０００７】
上記特徴構成によれば、空調制御部は、非共用空間に対する冷房又は暖房の空調運転が行われているとき、その非共用空間と出入口によって直接的に繋がっている空調共用空間に対して同じ冷房又は暖房の空調運転を連動して行う。つまり、非共用空間の空調運転が開始されれば、その非共用空間の利用者は出入口によって直接的に繋がっている空調共用空間にも移動する可能性が高いため、その空調共用空間の空調運転も空調制御部によって自動的に行う。このように、利用者が使用している非共用空間とそれに直接的に繋がる空調共用空間とに限定して空調運転を行うことで、空調運転に要する消費エネルギーを少なくできる。加えて、非共用空間の利用者が、その非共用空間から出て、それと直接的に繋がっている空調共用空間に移動したとしても、その空調共用空間の空調運転が既に自動的に行われているため、利用者は寒すぎる或いは暑すぎるといった不快感を受けることなく、快適に行動できる。
従って、消費エネルギーを少なくしつつ、利用者にとって快適な環境を与えることができる空調システムを提供できる。
【０００８】
本発明に係る空調システムの別の特徴構成は、前記出入口によって繋がっている前記共用空間同士の間での空気の移動を許容する通気部を備え、
前記通気部は、前記非共用空間での空調運転に連動した空調運転が行われている前記空調共用空間から、当該空調共用空間と前記出入口によって直接的又は間接的に繋がっている前記非空調共用空間へ向かう方向への空気の移動を許容する点にある。
【０００９】
上記特徴構成によれば、空調装置による空調運転が行われている空調共用空間と、その空調共用空間と出入口によって直接的又は間接的に繋がっている非空調共用空間との間での空気の移動が行われて、それら共用空間同士の温度が近づくことが期待できる。その結果、非共用空間の利用者が、その非共用空間とは出入口によって直接繋がっていない別の共用空間（非空調共用空間）に移動したとしても、利用者は寒すぎる或いは暑すぎるといった不快感を受けることなく、快適に行動できる。
【００１０】
本発明に係る空調システムの更に別の特徴構成は、前記通気部は、前記出入口によって繋がっている前記共用空間同士の間を仕切る仕切部材又は当該出入口の扉に設けられる通気口で構成される点にある。
【００１１】
上記特徴構成によれば、通気口を通して、空調装置による空調運転が行われている空調共用空間と、その空調共用空間と出入口によって直接的又は間接的に繋がっている非空調共用空間との間での空気の移動が行われて、それら共用空間同士の温度が近づくことが期待できる。
【００１２】
本発明に係る空調システムの更に別の特徴構成は、前記通気部は、前記出入口によって繋がっている前記共用空間同士の間を仕切る仕切部材又は当該出入口の扉に設けられる通気口と、当該通気口を介した前記共用空間同士の間での空気の移動量を調節可能な空気移動量調節手段とを備え、
前記空調制御部は、前記空気移動量調節手段に対して、
前記空調装置による空調運転が行われている前記空調共用空間から、当該空調共用空間と前記出入口によって直接的又は間接的に繋がっている前記非空調共用空間へ向かう方向への空気の移動量を相対的に多い状態に調節させ、
前記空調装置による空調運転が行われていない前記空調共用空間から、当該空調共用空間と前記出入口によって直接的又は間接的に繋がっている前記非空調共用空間へ向かう方向への空気の移動量を相対的に少ない状態に調節させる点にある。
【００１３】
上記特徴構成によれば、空調制御部は、空気移動量調節手段に対して、空調装置による空調運転が行われていない空調共用空間から、その空調共用空間と出入口によって直接的又は間接的に繋がっている非空調共用空間へ向かう方向への空気の移動量を相対的に少ない状態に調節させる。つまり、空調装置による空調運転が行われていない空調共用空間から、その空調共用空間と出入口によって直接的又は間接的に繋がっている非空調共用空間へ向かう方向への空気の移動量は少なくなる。
それに対して、空調制御部は、空気移動量調節手段に対して、空調装置による空調運転が行われている空調共用空間から、その空調共用空間と出入口によって直接的又は間接的に繋がっている非空調共用空間へ向かう方向への空気の移動量を相対的に多い状態に調節させる。つまり、空調運転が行われている空調共用空間の空気が、その空調共用空間と出入口によって直接的又は間接的に繋がっている非空調共用空間へ向かう方向へと相対的に多く移動する。その結果、空調共用空間で行われている冷房又は暖房の空調運転の効果を、利用者が移動する可能性のある他の共用空間へと波及させることができる。
【００１４】
本発明に係る空調システムの更に別の特徴構成は、前記空気移動量調節手段を複数備え、
前記空調制御部は、
前記空調装置が暖房運転を行っているとき、複数の前記空気移動量調節手段のうち、相対的に上方に設けられている前記空気移動量調節手段によって、前記空調装置による暖房運転が行われている前記空調共用空間から、当該空調共用空間と前記出入口によって直接的又は間接的に繋がっている前記非空調共用空間へ向かう方向への空気の移動量を、相対的に下方に設けられている前記空気移動量調節手段による空気の移動量よりも相対的に多い状態に調節させ、
前記空調装置が冷房運転を行っているとき、複数の前記空気移動量調節手段のうち、相対的に下方に設けられている前記空気移動量調節手段によって、前記空調装置による冷房運転が行われている前記空調共用空間から、当該空調共用空間と前記出入口によって直接的又は間接的に繋がっている前記非空調共用空間へ向かう方向への空気の移動量を、相対的に上方に設けられている前記空気移動量調節手段による空気の移動量よりも相対的に多い状態に調節させる点にある。
【００１５】
上記特徴構成によれば、空調装置が暖房運転を行っているときは、共用空間内の上方に留まっている相対的に高温の空気が、上方に設けられている空気移動量調節手段によって他の共用空間に移動させられる。これに対して、空調装置が冷房運転を行っているときは、共用空間内の下方に留まっている相対的に低温の空気が、下方に設けられている空気移動量調節手段によって他の共用空間に移動させられる。このように、空調装置によって暖められている空気又は冷やされている空気が選択的に移動させられることで、それらの共用空間同士の温度を近づけることができる。
【００１６】
本発明に係る空調システムの更に別の特徴構成は、前記空気移動量調節手段は、
前記通気口を覆うことが可能な遮蔽部材と、
前記遮蔽部材を移動させて前記通気口の開口面積を調節することで、前記空調装置が設けられている前記空調共用空間から、当該空調共用空間と前記出入口によって直接的又は間接的に繋がっている前記非空調共用空間へ向かう方向への空気の移動量を調節可能な遮蔽部材駆動部とを備える点にある。
【００１７】
上記特徴構成によれば、遮蔽部材を移動させて通気口の開口面積を大きくすることで、その通気口の開口部分を経由した空気の移動量を多くさせることができる。これに対して、遮蔽部材を移動させて通気口の開口面積を小さくすることで、その通気口の開口部分を経由した空気の移動量を少なくさせることができる。
【００１８】
本発明に係る空調システムの更に別の特徴構成は、前記空気移動量調節手段は、
前記通気口を通る空気の流れを作り出すことができるファンと、
前記ファンの回転速度を調節することで、前記空調装置が設けられている前記空調共用空間から、当該空調共用空間と前記出入口によって直接的又は間接的に繋がっている前記非空調共用空間へ向かう方向への空気の移動量を調節可能なファン駆動部とを備える点にある。
【００１９】
上記特徴構成によれば、ファンの回転速度を速くさせることで、通気口を経由した空気の移動量を多くさせることができる。これに対して、ファンの回転速度を遅くさせることで、通気口を介した空気の移動量を少なくさせることができる。
【００２０】
本発明に係る空調システムの更に別の特徴構成は、前記空調制御部は、前記非共用空間に対する空調運転と、それに連動した前記空調共用空間に対する空調運転を行うとき、当該空調運転が暖房運転の場合は前記非共用空間の方が高温になるように、当該空調運転が冷房運転の場合は前記非共用空間の方が低温になるようにする点にある。
【００２１】
上記特徴構成によれば、非共用空間と連動した空調運転が行われている空調共用空間では、暖房運転が必要以上に高温で行われることがなく、或いは、冷房運転が必要以上に低温で行われることがなくなる。その結果、消費エネルギーを少なくできる。
【図面の簡単な説明】
【００２２】
【図１】第１実施形態の空調システムの構成を示す図である。
【図２】第２実施形態の空調システムの構成を示す図である。
【図３】第２実施形態の通気部の構成を示す図である。
【図４】第３実施形態の通気部の構成を示す図である。
【図５】第４実施形態の通気部の構成を示す図である。
【発明を実施するための形態】
【００２３】
＜第１実施形態＞
以下に図面を参照して本発明の第１実施形態に係る空調システムについて説明する。
図１は、空調システムの構成を示す図である。図示するように、家屋や事業所などの施設の内部には、壁や天井などの仕切部材５で仕切られた部屋や廊下などの複数の空間Ｒが存在している。
【００２４】
本実施形態の空調システムは、人が出入りするための出入口３によって繋がっている複数の空間Ｒに対する空調運転を行うように構成されている。具体的には、空調システムは、空調装置２による空調運転を制御する空調制御部Ｃを備え、複数の空間Ｒは、人間によって共用される共用空間Ｒ２と、その共用空間Ｒ２とは別の非共用空間Ｒ１とに区別されている。また、後述するように、空調装置２が、非共用空間Ｒ１、及び、非共用空間Ｒ１と出入口３によって直接的に繋がっている共用空間Ｒ２としての空調共用空間のそれぞれに設置され、並びに、非共用空間Ｒ１と出入口３によって直接的に繋がっていない共用空間Ｒ２としての非空調共用空間には設置されていない。
【００２５】
図１に示す例では、複数の空間Ｒは、２つの非共用空間Ｒ１と、４つの共用空間Ｒ２とで構成されている。非共用空間Ｒ１は、例えば、利用者の個室Ｒ１ａ，Ｒ１ｂなどである。共用空間Ｒ２は、廊下Ｒ２ａ、トイレＲ２ｂ、脱衣室Ｒ２ｃ、浴室Ｒ２ｄなどである。
【００２６】
共用空間Ｒ２のうちの廊下Ｒ２ａは、非共用空間Ｒ１と出入口３によって直接的に繋がっている空調共用空間であり、空調装置２が設置されている。本実施形態では、廊下Ｒ２ａは、非共用空間Ｒ１としての２つの個室Ｒ１ａ，Ｒ１ｂのそれぞれと出入口３によって直接的に繋がっている。各出入口３には扉４が設置されている。また、廊下Ｒ２ａは、共用空間Ｒ２のうちのトイレＲ２ｂ及び脱衣室Ｒ２ｃのそれぞれと出入口３によって直接的に繋がっている。
【００２７】
共用空間Ｒ２のうちのトイレＲ２ｂ及び脱衣室Ｒ２ｃ及び浴室Ｒ２ｄは、非共用空間Ｒ１と出入口３によって直接的に繋がっていない非空調共用空間であり、空調装置２は設置されていない。本実施形態では、トイレＲ２ｂは、廊下Ｒ２ａと出入口３によって直接的に繋がっている。脱衣室Ｒ２ｃは、廊下Ｒ２ａと出入口３によって直接的に繋がり、且つ、浴室Ｒ２ｄと出入口３によって直接的に繋がっている。浴室Ｒ２ｄは、脱衣室Ｒ２ｃと出入口３によって直接的に繋がっている。つまり、空調共用空間である廊下Ｒ２ａと、非空調共用空間である浴室Ｒ２ｄとは、出入口３によって間接的に繋がっている。
【００２８】
空調制御部Ｃは、全ての空間Ｒに関して、非共用空間Ｒ１であるか又は共用空間Ｒ２であるかの種別並びに空調共用空間であるか又は非空調共用空間であるかの種別と、それらの空間Ｒ同士が出入口３によってどのように直接的又は間接的に繋がっているかといった各空間Ｒの位置関係の情報などを記憶している。例えば、空調制御部Ｃは、個室Ｒ１ａは非共用空間Ｒ１であること、及び、個室Ｒ１ａは出入口３によって共用空間Ｒ２としての廊下Ｒ２ａと直接的に繋がっていることを記憶している。
【００２９】
空調装置２は、空間Ｒに滞在する利用者が操作するリモコン装置などから受け取った指令情報に応じて、暖房運転や冷房運転などの運転を行うことができる。また、空調装置２は、リモコン装置などから受け取った指令情報に応じて運転を停止することもできる。空調装置２の運転に関する情報、例えば、運転の種別（暖房運転、冷房運転など）や設定（目標温度、設定風量など）などの情報は空調制御部Ｃに伝達される。
【００３０】
本実施形態では、空調制御部Ｃは、非共用空間Ｒ１に対する冷房又は暖房の空調運転が行われているとき、その非共用空間Ｒ１と出入口３によって直接的に繋がっている空調共用空間（共用空間Ｒ２）に設置されている空調装置２に対して同じ冷房又は暖房の空調運転を連動して行わせる。例えば、利用者がリモコン装置などを用いて個室Ｒ１ａに設置されている空調装置２の運転を開始したとき、その運転に関する情報が空調制御部Ｃに伝達される。運転に関する情報としては、運転の種別（暖房運転、冷房運転など）や設定（目標温度、設定風量など）などの情報がある。そして、空調制御部Ｃは、個室Ｒ１ａと出入口３によって直接的に繋がっている廊下Ｒ２ａに設置されている空調装置２の運転も連動して行わせる。このとき、空調制御部Ｃは、個室Ｒ１ａの空調装置２と同じ種別の運転を、廊下Ｒ２ａの空調装置２に対して行わせる。例えば、空調制御部Ｃは、個室Ｒ１ａの空調装置２で暖房運転が開始されたとき、それと連動して廊下Ｒ２ａの空調装置２でも暖房運転を行わせる。
【００３１】
以上のように、本実施形態の空調システムでは、非共用空間Ｒ１の空調運転が開始されれば、その非共用空間Ｒ１の利用者は出入口３によって直接的に繋がっている空調共用空間（共用空間Ｒ２）にも移動する可能性が高いため、その空調共用空間の空調運転も空調制御部Ｃによって自動的に行う。このように、利用者が使用している非共用空間Ｒ１とそれに直接的に繋がる空調共用空間とに限定して空調運転を行うことで、空調運転に要する消費エネルギーを少なくできる。加えて、非共用空間Ｒ１の利用者が、その非共用空間Ｒ１から出て、それと直接的に繋がっている空調共用空間に移動したとしても、その空調共用空間の空調運転が既に自動的に行われているため、利用者は寒すぎる或いは暑すぎるといった不快感を受けることなく、快適に行動できる。
【００３２】
更に、空調制御部Ｃは、非共用空間Ｒ１で行われている空調運転と連動して、空調共用空間（共用空間Ｒ２）に対する空調運転を行うとき、空調運転が暖房運転の場合は非共用空間Ｒ１の方が高温になるように、空調運転が冷房運転の場合は非共用空間Ｒ１の方が低温になるようにする。空調制御部Ｃは、例えば、非共用空間Ｒ１での暖房運転の目標温度が２０℃であれば、空調共用空間での目標温度を１８℃にして暖房運転を行う。或いは、空調制御部Ｃは、例えば、非共用空間Ｒ１での冷房運転の目標温度が２６℃であれば、空調共用での目標温度を２８℃にして冷房運転を行う。空調制御部Ｃがこのような制御を行うことで、非共用空間Ｒ１と連動した空調運転が行われている空調共用空間では、暖房運転が必要以上に高温で行われることがなく、或いは、冷房運転が必要以上に低温で行われることがなくなる。その結果、消費エネルギーを少なくできる。
【００３３】
加えて、本実施形態の空調システムは、出入口３によって互いに繋がっている共用空間Ｒ２同士の間での空気の移動を許容する通気部Ｆを備える。この通気部Ｆは、非共用空間Ｒ１での空調運転に連動した空調運転が行われている空調共用空間（共用空間Ｒ２）から、その空調共用空間と出入口３によって直接的又は間接的に繋がっている別の非空調共用空間（共用空間Ｒ２）へ向かう方向への空気の移動を許容する。
【００３４】
図１に示す例では、空調共用空間としての廊下Ｒ２ａから、その廊下Ｒ２ａと出入口３によって直接的に繋がっている非空調共用空間としてのトイレＲ２ｂへ向かう方向への空気の移動を許容する通気部Ｆ、空調共用空間としての廊下Ｒ２ａから、その廊下Ｒ２ａと出入口３によって直接的に繋がっている非空調共用空間としての脱衣室Ｒ２ｃへ向かう方向への空気の移動を許容する通気部Ｆが空調システムに設けられている。
【００３５】
更に、脱衣室Ｒ２ｃから、その脱衣室Ｒ２ｃと出入口３によって直接的に繋がっている浴室Ｒ２ｄへ向かう方向への空気の移動を許容する通気部Ｆが空調システムに設けられている。つまり、脱衣室Ｒ２ｃと浴室Ｒ２ｄとの間に設けられている通気部Ｆは、空調共用空間としての廊下Ｒ２ａと、その廊下Ｒ２ａと出入口３によって間接的に繋がっている非空調共用空間としての浴室Ｒ２ｄとの間での空気の移動を許容している。
尚、浴室Ｒ２ｄと脱衣室Ｒ２ｃとの間での空気の移動を防止したいのであれば、浴室Ｒ２ｄと脱衣室Ｒ２ｃとの間を直接的に繋いでいる通気部Ｆ（通気口６）を設けないような変更を行ってもよい。
【００３６】
通気部Ｆは、出入口３によって繋がっている共用空間Ｒ２同士の間を仕切る仕切部材５又は出入口３の扉４に設けられる通気口６で構成される。この通気口６を設けることで、共用空間Ｒ２同士の間での空気の移動が可能になる。つまり、空調装置２による空調運転が行われている空調共用空間（共用空間Ｒ２）と、その空調共用空間と出入口３によって直接的又は間接的に繋がっている別の非空調共用空間（共用空間Ｒ２）との間での空気の移動が通気口６を通して行われて、それら共用空間Ｒ２同士の温度が近づくことが期待できる。その結果、非共用空間Ｒ１の利用者が、出入口によって直接繋がっていない別の共用空間Ｒ２に移動したとしても、利用者は寒すぎる或いは暑すぎるといった不快感を受けることなく、快適に行動できる。図１に示した空調システムでは、各共用空間Ｒ２同士の間には通気部Ｆとしての通気口６が設けられているので、空調共用空間としての廊下Ｒ２ａで行われている空調運転の効果が、他の非空調共用空間としての共用空間Ｒ２（直接的に繋がっているトイレＲ２ｂ及び脱衣室Ｒ２ｃ、並びに、間接的に繋がっている浴室Ｒ２ｄ）に波及する。
【００３７】
＜第２実施形態＞
第２実施形態の空調システムは、通気部Ｆの構成が上記実施形態と異なっている。以下に第２実施形態の空調システムについて説明するが、上記実施形態と同様の構成については説明を省略する。
【００３８】
図２は、第２実施形態の空調システムの構成を示す図である。図３は、第２実施形態の通気部Ｆの構成を示す図である。本実施形態の通気部Ｆは、出入口３によって繋がっている共用空間Ｒ２同士の間を仕切る仕切部材５又はその出入口３の扉４に設けられる通気口６と、通気口６を介した共用空間Ｒ２同士の間での空気の移動量を調節可能な空気移動量調節手段Ｍとを備える。
【００３９】
図２には、仕切部材５に通気口６が設けられる例、即ち、共用空間Ｒ２同士を区画する壁（仕切部材５）を貫通するように通気口６が設けられる例を示す。従って、通気口６が開放されていれば、その通気口６を通って共用空間Ｒ２同士の間で空気は移動可能である。
【００４０】
本実施形態では、空気移動量調節手段Ｍ１（Ｍ）は、遮蔽部材７と遮蔽部材駆動部８とを備える。遮蔽部材７は、通気口６を覆うことが可能に構成されている。図３には、通気口６よりも大きい遮蔽部材７、即ち、通気口６を完全に覆い隠すことができる遮蔽部材７が設けられる例を示す。この例では、通気口６は矩形であり、遮蔽部材７は通気口６よりも大きな矩形の板材である。
【００４１】
遮蔽部材７にはモーターなどの遮蔽部材駆動部８が連結されている。遮蔽部材駆動部８は、遮蔽部材７を移動させて通気口６の開口面積を調節することで、空調装置２が設けられている空調共用空間（共用空間Ｒ２）から、その空調共用空間と出入口３によって直接的又は間接的に繋がっている非空調共用空間（共用空間Ｒ２）へ向う方向への空気の移動量を調節可能に構成されている。この遮蔽部材駆動部８の動作は空調制御部Ｃが制御する。
【００４２】
遮蔽部材７は、遮蔽部材駆動部８によって移動させられることで、仕切部材５の表面に沿ってスライド可能である。従って、遮蔽部材駆動部８は、遮蔽部材７を移動させることで、通気口６のうち、遮蔽部材７によって覆い隠されていない部分の面積（開口面積）を調節させることができる。例えば、遮蔽部材駆動部８は、遮蔽部材７を移動させることで、遮蔽部材７が通気口６を完全に覆い隠す状態や、遮蔽部材７が通気口６の一部又は全部を覆い隠さない（即ち、開放する）状態などを作り出すことができる。通気口６の開口面積が相対的に大きくなると、それら共用空間Ｒ２同士の間で単位時間当たりに移動できる空気量は多くなり、通気口６の開口面積が相対的に小さくなると、それら共用空間Ｒ２同士の間で単位時間当たりに移動できる空気量は少なくなる。
【００４３】
そして、空調制御部Ｃは、空気移動量調節手段Ｍ１に対して、空調装置２による空調運転が行われている空調共用空間（共用空間Ｒ２）から、その空調共用空間と出入口３によって直接的又は間接的に繋がっている別の非空調共用空間（共用空間Ｒ２）へ向かう方向への空気の移動量を相対的に多い状態に調節させる。それに対して、空調制御部Ｃは、空調装置２による空調運転が行われていない空調共用空間（共用空間Ｒ２）から、その空調共用と出入口３によって直接的又は間接的に繋がっている非空調共用空間（共用空間Ｒ２）へ向かう方向への空気の移動量を相対的に少ない状態に調節させる。
【００４４】
図１を参照して具体的に説明すると、空調制御部Ｃは、廊下Ｒ２ａの空調装置２が運転を停止しているとき、廊下Ｒ２ａとトイレＲ２ｂ及び脱衣室Ｒ２ｃとの間の各仕切部材５に設けている通気口６の開口面積が所定の第１値になるように、遮蔽部材駆動部８によって遮蔽部材７を移動させた状態に維持している。そして、空調制御部Ｃは、個室Ｒ１ａ又は個室Ｒ１ｂの空調装置２が運転を開始したことを示す情報を受け取ると、それに連動して廊下Ｒ２ａの空調装置２の運転を開始させると共に、廊下Ｒ２ａとトイレＲ２ｂとの間の仕切部材５に設けている通気部Ｆを動作させ、且つ、廊下Ｒ２ａと脱衣室Ｒ２ｃとの間の仕切部材５に設けている通気部Ｆを動作させて、それらの通気口６の開口面積を上記第１値よりも大きい第２値にさせる。その結果、廊下Ｒ２ａで運転している空調装置２によって温度や湿度などが調整された空気の、トイレＲ２ｂ及び脱衣室Ｒ２ｃへの移動が促進される。
【００４５】
その後、空調制御部Ｃは、個室Ｒ１ａ又は個室Ｒ１ｂの空調装置２が運転を停止したことを示す情報を受け取ると、それに連動して廊下Ｒ２ａの空調装置２の運転を停止させると共に、廊下Ｒ２ａとトイレＲ２ｂとの間の仕切部材５に設けている通気部Ｆを動作させ、且つ、廊下Ｒ２ａと脱衣室Ｒ２ｃとの間の仕切部材５に設けている通気部Ｆを動作させて、それらの通気口６の開口面積を上記第２値よりも小さい上記第１値にさせる。その結果、廊下Ｒ２ａからトイレＲ２ｂ及び脱衣室Ｒ２ｃへの空気の移動が妨げられる。
【００４６】
尚、空調制御部Ｃは、空調共用空間としての共用空間Ｒ２と、それに直接繋がっていない（即ち、間接的に繋がっている）非空調共用空間としての共用空間Ｒ２との間での空気の移動量は、通気部Ｆによる制御対象とはしない設定でもよい。つまり、空調制御部Ｃは、空調装置２による空調運転が行われている廊下Ｒ２ａと、それに直接繋がっていない浴室Ｒ２ｄとの間での空気の移動量は制御対象としない設定でもよい。例えば、空調制御部Ｃは、廊下Ｒ２ａで空調装置２による空調運転が行われているか否かに関わらず、脱衣室Ｒ２ｃと浴室Ｒ２ｄとの間の仕切部材５に設けられている通気部Ｆによってその通気口６の開口面積を一定（例えば、最小の開口面積など）に維持させればよい。
【００４７】
＜第３実施形態＞
第３実施形態の空調システムは、通気部Ｆの構成が上記実施形態と異なっている。以下に第３実施形態の空調システムの構成を説明するが、上記実施形態と同様の構成については説明を省略する。
【００４８】
図４は、第３実施形態の通気部Ｆの構成を示す図である。本実施形態の通気部Ｆは、通気口６と空気移動量調節手段Ｍとを備える。本実施形態では、空気移動量調節手段Ｍ２（Ｍ）は、ファン９とファン駆動部１０とを備える。
【００４９】
ファン９は、通気口６を通る空気の流れを作り出すことができるように構成されている。ファン９にはモーターなどのファン駆動部１０が連結され、ファン９はファン駆動部１０によって回転させられる。ファン駆動部１０は、ファン９の回転速度を調節することで、空調装置２が設けられている空調共用空間（共用空間Ｒ２）から、その空調共用空間と出入口３によって直接的又は間接的に繋がっている非空調共用空間（共用空間Ｒ２）へ向かう方向への空気の移動量を調節可能に構成されている。ファン駆動部１０の動作は空調制御部Ｃが制御する。そして、ファン９の回転速度が相対的に大きくなれば、通気口６を通る空気の単位時間当たりの流量は多くなり、ファン９の回転速度が相対的に小さくなれば、通気口６を通る空気の単位時間当たりの流量は少なくなる。つまり、ファン駆動部１０は、ファン９の回転速度を調節することで、共用空間Ｒ２同士の間での通気口６を介した空気の移動量を調節可能である。
【００５０】
そして、空調制御部Ｃは、空気移動量調節手段Ｍ１に対して、空調装置２による空調運転が行われている空調共用空間（共用空間Ｒ２）から、その空調共用空間と出入口３によって直接的又は間接的に繋がっている非空調共用空間（共用空間Ｒ２）へ向かう方向への空気の移動量を相対的に多い状態に調節させる。それに対して、空調制御部Ｃは、空調装置２による空調運転が行われていない空調共用空間（共用空間Ｒ２）から、その空調共用空間と出入口３によって直接的又は間接的に繋がっている非空調共用空間（共用空間Ｒ２）への空気の移動量を相対的に少ない状態に調節させる。
【００５１】
図１を参照して具体的に説明すると、空調制御部Ｃは、廊下Ｒ２ａの空調装置２が運転を停止しているとき、ファン９の回転速度が所定の第１速度になるように、ファン駆動部１０によってファン９の回転速度を調節している。例えば、第１速度はゼロ（即ち、回転停止）である。そして、空調制御部Ｃは、個室Ｒ１ａ又は個室Ｒ１ｂの空調装置２が運転を開始したことを示す情報を受け取ると、それに連動して廊下Ｒ２ａの空調装置２の運転を開始させると共に、廊下Ｒ２ａとトイレＲ２ｂとの間の仕切部材５に設けている通気部Ｆを動作させ、且つ、廊下Ｒ２ａと脱衣室Ｒ２ｃとの間の仕切部材５に設けている通気部Ｆを動作させて、それらのファン９の回転速度が上記第１速度よりも大きい第２速度になるように、ファン駆動部１０によってファン９の回転速度を調節する。その結果、廊下Ｒ２ａで運転している空調装置２によって温度や湿度などが調整された空気の、トイレＲ２ｂ及び脱衣室Ｒ２ｃへの移動が促進される。
【００５２】
その後、空調制御部Ｃは、個室Ｒ１ａ又は個室Ｒ１ｂの空調装置２が運転を停止したことを示す情報を受け取ると、それに連動して廊下Ｒ２ａの空調装置２の運転を停止させると共に、廊下Ｒ２ａとトイレＲ２ｂとの間の仕切部材５に設けている通気部Ｆを動作させ、且つ、廊下Ｒ２ａと脱衣室Ｒ２ｃとの間の仕切部材５に設けている通気部Ｆを動作させて、それらのファン９の回転速度が上記第２速度よりも小さい上記第１速度になるように、ファン駆動部１０によってファン９の回転速度を調節する。その結果、廊下Ｒ２ａからトイレＲ２ｂ及び脱衣室Ｒ２ｃへの空気の移動が妨げられる。
【００５３】
尚、空調制御部Ｃは、空調共用空間としての共用空間Ｒ２と、それに直接繋がっていない（即ち、間接的に繋がっている）非空調共用空間としての共用空間Ｒ２との間での空気の移動量は、通気部Ｆによる制御対象とはしない設定でもよい。つまり、空調制御部Ｃは、空調装置２による空調運転が行われている廊下Ｒ２ａと、それに直接繋がっていない浴室Ｒ２ｄとの間での空気の移動量は制御対象としない設定でもよい。例えば、空調制御部Ｃは、廊下Ｒ２ａで空調装置２による空調運転が行われているか否かに関わらず、脱衣室Ｒ２ｃと浴室Ｒ２ｄとの間の仕切部材５に設けられている通気部Ｆのファン９の動作を一定（例えば、ファン９を停止など）に維持させればよい。
【００５４】
＜第４実施形態＞
第４実施形態の空調システムは、空気移動量調節手段Ｍを複数備えている点で上記実施形態と異なっている。以下に第４実施形態の空調システムの構成を説明するが、上記実施形態と同様の構成については説明を省略する。
【００５５】
図５は、第４実施形態の通気部Ｆの構成を示す図である。図示するように、第４実施形態の空調システムにおいて、通気部Ｆは空気移動量調節手段Ｍを複数備えている。具体的には、空調システムは、相対的に上方に設けられている空気移動量調節手段Ｍ２ａと、相対的に下方に設けられている空気移動量調節手段Ｍ２ｂとを備える。図５では、上方に設けられている空気移動量調節手段Ｍ２ａ及び下方に設けられている空気移動量調節手段Ｍ２ｂが共に、第３実施形態で説明した空気移動量調節手段Ｍ２である場合を示している。また、図５では、空気移動量調節手段Ｍ２が扉４に設けられている例を示している。
【００５６】
尚、上方に設けられている空気移動量調節手段Ｍ２ａ及び下方に設けられている空気移動量調節手段Ｍ２ｂが共に、第２実施形態で説明した空気移動量調節手段Ｍ１であってもよい。或いは、上方に設けられている空気移動量調節手段Ｍ２ａ及び下方に設けられている空気移動量調節手段Ｍ２ｂを、第２実施形態で説明した空気移動量調節手段Ｍ１と第３実施形態で説明した空気移動量調節手段Ｍ２との組み合わせによって実現してもよい。
【００５７】
本実施形態の空調システムでは、空調制御部Ｃは、空調装置２が暖房運転を行っているとき、複数の空気移動量調節手段Ｍのうち、相対的に上方に設けられている空気移動量調節手段Ｍ２ａによって、空調装置２による暖房運転が行われている空調共用空間（共用空間Ｒ２）から、その空調共用空間と出入口３によって直接的又は間接的に繋がっている非空調共用空間（共用空間Ｒ２）への空気の移動量を相対的に多い状態に調節させ、且つ、相対的に下方に設けられている空気移動量調節手段Ｍ２ｂによる空気の移動量を相対的に少ない状態に調節させる。
これに対して、空調制御部Ｃは、空調装置２が冷房運転を行っているとき、複数の空気移動量調節手段Ｍのうち、相対的に下方に設けられている空気移動量調節手段Ｍ２ｂによって、空調装置２による冷房運転が行われている空調共用空間（共用空間Ｒ２）から、その空調共用空間と出入口３によって直接的又は間接的に繋がっている非空調共用空間（共用空間Ｒ２）への空気の移動量を相対的に多い状態に調節させ、且つ、相対的に上方に設けられている空気移動量調節手段Ｍ２ａによる空気の移動量を相対的に少ない状態に調節させる。
【００５８】
これにより、空調装置２が暖房運転を行っているときは、共用空間Ｒ２内の上方に留まっている相対的に高温の空気が、上方に設けられている空気移動量調節手段Ｍ２ａによって選択的に他の共用空間Ｒ２に移動させられる。これに対して、空調装置２が冷房運転を行っているときは、共用空間Ｒ２内の下方に留まっている相対的に低温の空気が、下方に設けられている空気移動量調節手段Ｍ２ｂによって選択的に他の共用空間Ｒ２に移動させられる。このように、空調装置２によって暖められている空気又は冷やされている空気が選択的に移動させられることで、その共用空間Ｒ２同士の温度を近づけることができる。
【００５９】
＜別実施形態＞
＜１＞
上記実施形態では、空調システムの構成について具体例を挙げて説明したが、その構成については適宜変更可能である。
例えば、上記実施形態では、非共用空間Ｒ１が利用者の個室Ｒ１ａ，Ｒ１ｂであり、共用空間Ｒ２が廊下Ｒ２ａ、トイレＲ２ｂ、脱衣室Ｒ２ｃ、浴室Ｒ２ｄである場合について説明したが、それらは例示目的で記載したものであり適宜変更可能である。また、それら各空間の位置関係についても適宜変更可能である。
【００６０】
＜２＞
上記実施形態において、空調制御部Ｃが、空調共用空間としての共用空間Ｒ２と、それに直接繋がっていない（即ち、間接的に繋がっている）非空調共用空間としての共用空間Ｒ２との間での空気の移動量を、通気部Ｆによる制御対象としてもよい。例えば、空調制御部Ｃは、個室Ｒ１ａ又は個室Ｒ１ｂの空調装置２が運転を開始したことを示す情報を受け取ると、それに連動して廊下Ｒ２ａの空調装置２の運転を開始させると共に、廊下Ｒ２ａとトイレＲ２ｂとの間の仕切部材５に設けている通気部Ｆを動作させ、且つ、廊下Ｒ２ａと脱衣室Ｒ２ｃとの間の仕切部材５に設けている通気部Ｆを動作させ、且つ、脱衣室Ｒ２ｃと浴室Ｒ２ｄとの間の仕切部材５に設けられている通気部Ｆを動作させて、廊下Ｒ２ａで運転している空調装置２によって温度や湿度などが調整された空気の、トイレＲ２ｂ及び脱衣室Ｒ２ｃ及び浴室Ｒ２ｄへの移動量が相対的に多くなるような調節を行ってもよい。
【００６１】
＜３＞
上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００６２】
本発明は、消費エネルギーを少なくしつつ、利用者にとって快適な環境を与えることができる空調システムに利用できる。
【符号の説明】
【００６３】
Ｒ  空間
Ｒ１  非共用空間
Ｒ２  共用空間
Ｒ２ａ  空調共用空間
Ｒ２ｂ，Ｒ２ｃ，Ｒ２ｄ  非空調共用空間
２  空調装置
３  出入口
４  扉
５  仕切部材
６  通気口
７  遮蔽部材
８  遮蔽部材駆動部
９  ファン
１０  ファン駆動部
Ｃ  空調制御部
Ｆ  通気部
Ｍ（Ｍ１，Ｍ２）  空気移動量調節手段
Ｍ２ａ  上側空気移動量調節手段
Ｍ２ｂ  下側空気移動量調節手段
【図１】
2017116229.tif 000003
【図２】
2017116229.tif 000004
【図３】
2017116229.tif 000005
【図４】
2017116229.tif 000006
【図５】
2017116229.tif 000007